(57)【特許請求の範囲】
【請求項１】
ポンプを駆動する電動機に駆動電力を出力する駆動手段及び該駆動手段を制御する制御手段を具備し、該制御手段には入力部と出力部を設け、該入力部より取り込む情報値を前記制御手段で処理し、その結果を前記出力部を通して前記駆動手段に伝送し、該駆動手段により電動機を駆動する給水装置の制御盤において、
前記出力部は、複数の外部接点出力用リレー、該外部接点出力用リレーのコイルに励磁電流を供給するコイル励磁用電源供給用入力手段、及び前記外部接点出力用リレー接点に対応した各独立した複数の有電圧入力手段を具備することを特徴とする給水装置の制御盤。
【請求項２】
前記複数の外部接点出力用リレーをもつグループが、少なくとも２以上あり、各グループ別に、前記複数の有電圧入力手段を持っていることを特徴とする請求項１に記載の給水装置の制御盤。
【発明の詳細な説明】
【０００１】
【発明の属する技術分野】
本発明は、給水装置の制御盤に関し、特に使用先の種々の要求に迅速に対応できる給水装置の制御盤に関するものである。
【０００２】
【従来の技術】
従来、この種の給液装置は、図４に示すような構成のものが一般的である。従来の給水装置はポンプＰ１、ポンプＰ２を具備し、該ポンプＰ１、ポンプＰ２は電動機Ｍ１、電動機Ｍ２により駆動され、電動機Ｍ１、電動機Ｍ２はドライバー２−１、ドライバー２−２の出力で駆動される。ドライバー２−１、ドライバー２−２の１次側には、それぞれ漏電遮断器ＥＬＢ１、漏電遮断器ＥＬＢ２が接続され、該漏電遮断器ＥＬＢ１、ＥＬＢ２の１次側は、電源接続用端子３が接続されている。
【０００３】
ポンプＰ１、ポンプＰ２のそれぞれの吸込口Ｐ１ａ、吸込口Ｐ２ａは、それぞれが受水槽９−１、受水槽９−２に接続されており、ポンプＰ１、Ｐ２の吐出側はそれぞれ集合管５に接続されている。該集合管５には、管内圧力を検出して検出値を出力する圧力発信器６、圧力タンク７が取り付けられており、ポンプＰ１、ポンプＰ２の吐出口と集合管５の間にはそれぞれ水量検知器８−１、水量検知器８−２が取り付けられている。
【０００４】
受水槽９−１、受水槽９−２には、それぞれ市水を流入させるための配管１１−１、配管１１−２の先端が開口しており、該配管１１−１、配管１１−２には、流量を制御するための市水流入定水位弁（図示ぜず）及び電磁弁ＳＶ１、ＳＶ２がそれぞれ取り付けられている。また、それぞれの受水槽９−１、受水槽９−２には水位を検出するための電極棒１０−１、電極棒１０−２が取り付けられている。
【０００５】
図５は、従来の給水装置の制御部４の構成を示す図である。制御部４には、給水装置１を機能させるための制御機能部４−１、給水装置１及び受水槽９−１、受水槽９−２の水位検出値（電極棒の出力）等を取り込む入力部４−２、外部に信号を出力する外部接点出力部４−３が搭載されている。外部接点出力部４−３には、外部に故障信号等を出力するための外部接点出力部４−３ａ、ポンプを運転するための制御信号を出力する外部接点出力部４−３ｂ及び電磁弁ＳＶ１、電磁弁ＳＶ２の開閉信号を出力する外部接点出力部４−３ｃが設けられている。
【０００６】
一般には、集合管５は給水先である建物内の各戸の蛇口に配管で接続されており、該各戸で水を使用すると、圧力タンク７内の水が供給され、圧力が低下する。この圧力を圧力発信器６が検知し、その出力信号によりポンプＰ１、Ｐ２が起動する。起動後は、ポンプＰ１及びポンプＰ２の吐出圧力を圧力発信器６で検知し、使用水量に見合ったポンプ吐出圧力でポンプＰ１及びポンプＰ２は運転される。使用水量が極端に少なくなると、水量検知器８−１、水量検知器８−２の検出値は小さくなりポンプＰ１、ポンプＰ２を停止させる。
【０００７】
次に、給水装置の外部接点出力部の動作について説明する。受水槽９−１、９−２の水位を電極棒１０−１、１０−２が検知し、その値を制御部４の入力部４−２から取り込み、水位が低下すると該制御部４の外部接点出力部４−３ｃのＣＶとＶ１の間、ＣＶとＶ２の間又はＣＶとＶ１及びＣＶとＶ２の間にＡＣ２００Ｖが印加され、電磁弁ＳＶ１、電磁弁ＳＶ２又は電磁弁ＳＶ１及び電磁弁ＳＶ２を開ける。これにより、受水槽９−１、受水槽９−２に市水が流入し、受水槽９−１、受水槽９−２の水位が上昇し、該水位を電極棒１０−１、電極棒１０−２が検知し、水位が復帰すると、電磁弁ＳＶ１、電磁弁ＳＶ２を閉じる。
【０００８】
受水槽９−１、受水槽９−２の水位が低下し、電磁弁ＳＶ１、電磁弁ＳＶ２が動作しても、さらに該受水槽９−１、受水槽９−２の水位が低下すると、受水槽故障の信号が制御部４の外部接点出力部４−３ａのＣ１とＢ２より出力される。同様に受水槽９−１、受水槽９−２の水位が復帰しても、電磁弁ＳＶ１、電磁弁ＳＶ２が完全に閉止しない場合は、受水槽９−１、受水槽９−２の水位がさらに上昇し、電極棒１０−１、電極棒１０−２の出力により、受水槽故障の信号が出力される。
【０００９】
また、上記以外に、ポンプが故障（過電流、ポンプの吐出圧力低下等）の信号を出力した場合は、ポンプ故障の信号が外部接点出力部４−３ａのＣ１とＢ１より出力される。また、ポンプの運転時のポンプ運転信号も外部接点出力部４−３ｂのＡＣとＡ１より出力される。このように、制御盤４にはポンプの運転中の状態、運転中の故障等の信号を外部に伝送し、特に故障時の早期発見及び修復に対応できるように、一般的には、多くの外部接点出力部が、用意されている。
【００１０】
更に、図５の従来の構成例では、受水槽９−１、９−２の設備により、市水の入水手段が電極棒１０−１、１０−２の水位検知による電磁弁ＳＶ１、ＳＶ２の開閉であるが、電磁弁ＳＶ１、ＳＶ２には電源がＡＣ２ＯＯＶ、ＡＣ１ＯＯＶ又はＤＣ２４Ｖ等があり、該電磁弁の使用電源に併せて外部接点出力部を製作する必要がある。
【００１１】
一方、情報を受ける側としては、各外部接点出力部の内容に対する要求は様々である。例えば、給水装置が据付けられているポンプ室の外部に赤色回転燈を点灯／回転させて故障等を知らせる場合には、該赤色回転燈を点灯／回転させる電源を外部接点出力部より直接供給する必要がある。
【００１２】
図６は有電圧（電圧を出力）の外部接点出力部１２と赤色回転燈１４の接続構成を示す図である。客先では、有電圧の外部接点出力部１２の一方１２−１と赤色回転燈１４を電線１３−１で接続し、同様に有電圧の外部接点出力部１２の他方１２−２と赤色回転燈１４を電線１３−２で接続する。有電圧の外部接点出力部１２の接点１２−３が閉じると、赤色回転燈１４にＡＣ２００Ｖの電源が供給され、該赤色回転燈１４が点灯回転する。
【００１３】
なお、図７は、ポンプ故障、受水槽故障の信号を出力する外部接点出力部を追加した場合の構成例を示す図である。給水装置の設備によっては、故障信号を電話回線を使用して、集中管理センター等に送る場合もある。一般に、このような場合は、制御盤に故障信号を出力する外部接点出力部を２組搭載し、一方は通常の無電圧の外部接点出力部４−３ａ、他方は電話回線を使用し出力するため有電圧の外部接点出力部４−３ａ’とする必要がある。
【００１４】
【発明が解決しようとする課題】
上記従来のような外部接点出力部では、警報の伝達方法などで、各外部接点出力部の無電圧／有電圧、有電圧時の電源種別とその電圧に対する要求に対応するため、該要求に対応させて制御部４の外部接点出力部４−３を製作しているので、製作に時間がかかり、更に予め多数の制御盤を製作しておくことができないという問題がある。また、警報の伝達方法は各種あり、その仕様が異なるため、仕様の確認等に時間が必要であり、一度製作すると現地での仕様の変更が難しいという問題があった。
【００１５】
本発明は上記の点に鑑みてなされたもので、上記のように種々の要求に対応させて外部接点出力部を製作する必要がなく、現地での仕様の変更に容易に対応できる外部接点出力部を有する給水装置の制御盤を提供することを目的とする。
【００１６】
【課題を解決するための手段】
上記課題を解決するために請求項１に記載の発明は、ポンプを駆動する電動機に駆動電力を出力する駆動手段及び該駆動手段を制御する制御手段を具備し、該制御手段には入力部と出力部を設け、該入力部より取り込む情報値を制御手段で処理し、その結果を出力部を通して駆動手段に伝送し、駆動手段により電動機を駆動する給水装置の制御盤において、出力部は、複数の外部接点出力用リレー、該外部接点出力用リレーのコイルに励磁電流を供給するコイル励磁用電源供給用入力手段、及び前記外部接点出力用リレー接点に対応した各個独立した複数の有電圧入力手段を具備することを特徴とする。
【００１７】
また、請求項２に記載の発明は請求項１に記載の給液装置の制御盤において、複数の外部接点出力用リレーをもつグループが、少なくとも２以上あり、各グループ別に、前記複数の有電圧入力手段を持っていることを特徴とする。
【００１８】
【発明の実施の形態】
以下、本発明の実施の形態例を図面に基づいて説明する。図１は本発明に係る給水装置の制御盤の外部接点出力部の構成例を示す図である。なお、本発明の給水装置の構成は、上記従来の給水装置と略同じ構成であるので、その説明は省略する。
【００１９】
基盤２０には、各外部接点出力用のリレー２１ａ、２１ｂ、２１ｃ、２１ｄ、２１ｅが搭載され、各リレーの接点はそれぞれ外部出力端子２２ａのＣ１、Ｂ１、Ｂ２、外部出力端子２２ｂのＡＣ１、Ａ１、外部出力端子２２ｃのＶ１、Ｖ２、ＣＶ１に接続されている。外部出力端子２２ａのＣ１及びリレー２１ａの接点は有電圧入力端子２３ａに接続されており、外部出力端子２２ｂは無電圧専用端子のため有電圧入力端子はなく、外部出力端子２２ｃのＣＶ１及びリレー２１ｅの接点は有電圧入力端子２３ｂに接続されている。
【００２０】
各リレー２１ａ〜２１ｅのコイル励磁用電源供給用入力端子２４ａ及び増設用出力端子２４ｂが、基盤２０に搭載されている。コイル励磁用電源供給用入力端子２４ａの０番は共通コモンであり、１番はリレー２１ｅ、２番はリレー２１ｄ、３番はリレー２１ｃ、４番はリレー２１ｂ、５番はリレー２１ａの駆動用電源入力となっている。
【００２１】
有電圧入力端子２３ａ及び２３ｂには、それぞれコネクター２５ａ、コネクター２５ｂが接続されており、該コネクター２５ａ、２５ｂには各種電源を入力することができる。また、図５の外部接点出力部４−３を実現するためには、有電圧入力端子２３ａのコネクター２５ａに短絡プラグ２６を挿入し、有電圧入力端子２３ｂのコネクター２５ｂにＡＣ２００Ｖの電源を入力することで可能となる。上記により、外部出力端子２２ａ、２２ｂは無電圧、外部出力端子２２ｃは有電圧入力端子２３ｂのコネクター２５ｂに供給されたＡＣ２００Ｖの有電圧となる。
【００２２】
次に、上記構成の外部出力接点部の動作について電磁弁ＳＶ１により説明する。図４の受水槽９−１の水位低下は電極棒１０−１より検知され、制御部４の入力部４−２に取り込まれ、その結果を出力するが本発明では、基盤２０上に出力し、コイル励磁用電源供給用入力端子２４ａの番号１に電圧が加わり、リレー２１ｅのコイル（図示せず）に該電圧が印加され、該リレー２１ｅが作動しその接点（図示せず）が閉となる。該リレー２１ｅの接点が閉となることにより、外部出力端子２２ｃのＣＶ１とＶ２に有電圧入力端子２３ｂの電圧が供給され有電圧となり、電磁弁ＳＶ１を動作させる。
【００２３】
次に、外部接点出力部を増やす場合について説明する。図２は、図１の本発明に係る給水装置の制御盤の外部接点出力部により、電磁弁ＳＶ１、電磁弁ＳＶ２をＡＣ２００Ｖ、ポンプ故障又は受水槽故障の場合は、ＤＣ２４Ｖの赤色回転燈１４を駆動させるとともに、ポンプ故障又は受水槽故障の信号により、外部の管理センターへモデム２８、電話回線を経由して連絡する場合の外部接点出力部の構成例を示す図である。
【００２４】
基盤２０の有電圧入力端子２３ｂにＡＣ２００Ｖをコネクター２５ｂより供給し、有電圧入力端子２３ａにＤＣ２４Ｖをコネクター２５ａより供給する。増設基盤２０’のコイル励磁用電源供給用入力端子２４ａ’は、基盤２０の増設用出力端子２４ｂとフラットケーブル２７を介して接続されている。また、該増設基盤２０’の有電圧入力端子２３ａ’のコネクター２５ａ’には、短絡プラグ２６が挿入されている。
【００２５】
外部出力端子２２ａのＣ１とＢ１の間、Ｃ１とＢ２の間には赤色回転燈１４が接続され、外部出力端子２２ｃのＣＶとＶ１の間、ＣＶとＶ２の間にはそれぞれ電磁弁ＳＶ１、電磁弁ＳＶ２が接続され、増設基盤２０’の外部出力端子２２ａ’のＣ２とＢ２１の間、Ｃ２とＢ２２の間にはモデム２８が接続されている。
【００２６】
ポンプ故障の場合は、基盤２０のコイル励磁用電源供給用入力端子２４ａの番号０と５に電圧が印加されるとともに、該電圧は増設用出力端子２４ｂを通り、フラットケーブル２７を介して増設基盤２０’のコイル励磁用電源供給用入力端子２４ａ’の番号０と５にも該電圧が印加される。
【００２７】
前記印加された電圧により、基盤２０のリレー２１ａと増設基盤２０’のリレー２１ａ’が励磁されて作動し、その各接点が閉となる。これにより、基盤２０の外部出力端子２２ａのＣ１とＢ１の間に電圧ＤＣ２４Ｖが供給され赤色回転燈１４が回転する（これによりポンプが故障であることを知ることができる）とともに、増設基盤２０’の外部出力端子２２ａ’のＣ２とＢ２１は短絡され、モデム２８にポンプ故障の信号を与え、該信号がモデム２８より外部の管理センターに電話回線を経由して送られる。
【００２８】
図３は、図１に示す構成の基盤２０に同じ基盤２０’を追加接続した場合を示す図である。同図のように、基盤２０の増設用出力端子２４ｂと基盤２０’のコイル励磁用電源供給用入力端子２４ａをフラットケーブル２７で接続することにより、外部接点出力部の追加は何組でも可能であり、また、各基盤上で各々独立して、それぞれの接点を各種電源により有電圧化することができる。
【００２９】
【発明の効果】
以上説明したように本発明によれば下記の如く優れた効果を有する外部接点出力部を提供することができる。
【００３０】
（１）制御手段の出力部は、有電圧入力端子を具備することにより、各種電源（ＡＣ又はＤＣ）及び電圧を供給することができ、該有電圧入力端子に短絡プラグを挿入することで無電圧接点として使用することができ、使用先の要求に応じて自由に組み合わせることができ、また、前もって基盤を多数製作することができるためコストを低減することができ、使用先に早く納入することができる。
【００３１】
（２）また、（１）の有電圧入力端子が各個独立してあることにより、使用先の要求に応じて自由に組み合わせることができ、また、前もって基盤を多数製作することができるためコストを削減することができ、使用先に早く納入することができる。
【図面の簡単な説明】
【図１】本発明に係る給水装置の制御盤の外部接点出力部の構成を示す図である。
【図２】図１に示す外部接点出力部に外部接点出力部を組み合わせた状態を示す図である。
【図３】図１に示す外部接点出力部を２個組み合わせた状態を示す図である。
【図４】従来の給水装置の構成を示す図である。
【図５】従来の給水装置の制御部の構成を示す図である。
【図６】有電圧の外部接点出力部と赤色回転燈の接続構成を示す図である。
【図７】従来の外部接点出力部にポンプ故障、受水槽故障の信号を出力する外部接点出力部を追加した場合の構成例を示す図である。
【符号の説明】
１          給水装置
２          ドライバー
３          電源接続用端子
４          制御部
５          集合管
６          圧力発信器
７          圧力タンク
８          水量検知器
９          受水槽
１０        電極棒
１１        配管
１２        外部接点出力部
１３        電線
１４        赤色回転燈
２０        基盤
２１        リレー
２２        外部出力端子
２３        有電圧入力端子
２４ａ      コイル励磁用電源供給用入力端子
２４ｂ      増設用出力端子
２５        コネクター
２６        短絡プラグ
２７        フラットケーブル
２８        モデム
【図１】
0003718018.tif 000002
【図２】
0003718018.tif 000003
【図３】
0003718018.tif 000004
【図４】
0003718018.tif 000005
【図５】
0003718018.tif 000006
【図６】
0003718018.tif 000007
【図７】
0003718018.tif 000008